(57)【特許請求の範囲】
【請求項１】
複数本の綿糸（２）を撚り合わせて撚り糸（１１）が形成され、複数本の撚り糸（１１）を撚り合わせ又は編み合わせて中間束（１３）が形成され、複数本の中間束（１３）を編み合わせて最終束（４）が形成されており、最終束（４）は、最終束（４）の編み合わせによる凹凸と中間束（１３）の撚り合わせ又は編み合わせによる凹凸と撚り糸（１１）の撚り合わせによる凹凸との大中小の凹凸が段階的かつ連続的に表面に形成された立体形状に保形され、
前記最終束（４）は複数本の中間束（１３）を編み合わせることにより棒状に形成されて、最終束（４）の一端側のみに、最終束（４）が解れないように結束した結束部（６）と、結束部（６）から突出した解れ部（８）とが設けられていることを特徴とするペット用玩具。
【請求項２】
４本の中間束（１３）を四つだたみ編みして最終束（４）が形成されていることを特徴とする請求項１に記載のペット用玩具。
【請求項３】
最終束（４）の編み初め端側の中間束（１３）に、最終束（４）の編み終り端側の中間束（１３）を挿入して、最終束（４）がリング状に保形されていることを特徴とする請求項１又は２に記載のペット用玩具。
【発明の詳細な説明】
【技術分野】
【０００１】
本発明は、犬等のペットが噛んで遊ぶためのペット用玩具に関するものである。
【背景技術】
【０００２】
従来、噛んで遊ばせるようにしたペット用玩具には、遊ばせながら歯垢の除去や歯茎にマッサージ効果を得るために、綿糸を撚ったり編んだりして構成したものがある（例えば
、特許文献１，２）。
【先行技術文献】
【特許文献】
【０００３】
【特許文献１】実公平５−２４２８０号公報
【特許文献２】特許第３１２１８３７号公報
【発明の概要】
【発明が解決しようとする課題】
【０００４】
しかし、従来のペット用玩具は伸縮性が劣っていてかつその表面に凹凸が少なく、犬等のペットが噛んで遊んでも歯垢の除去が不十分で、また、歯茎に十分なマッサージ効果を得ることができないという問題があった。
本発明は上記問題点に鑑み、犬等のペットが噛んで遊ぶことによって、歯垢を十分に除去することができると共に、歯茎に十分なマッサージ効果を得ることができるペット用玩具を提供することを目的としている。
【課題を解決するための手段】
【０００５】
本発明における課題解決のための具体的手段は、次の通りである。
この技術的課題を解決する本発明の技術的手段は、複数本の綿糸２を撚り合わせて撚り糸１１が形成され、複数本の撚り糸１１を撚り合わせ又は編み合わせて中間束１３が形成され、複数本の中間束１３を編み合わせて最終束４が形成されており、最終束４は、最終束４の編み合わせによる凹凸と中間束１３の撚り合わせ又は編み合わせによる凹凸と撚り糸１１の撚り合わせによる凹凸との大中小の凹凸が段階的かつ連続的に表面に形成された立体形状に保形され、最終束４の終端が結束され、
前記最終束４は複数本の中間束１３を編み合わせることにより棒状に形成されて、最終束４の一端側のみに、最終束４が解れないように結束した結束部６と、結束部６から突出した解れ部８とが設けられている点にある。
【０００６】
また、本発明の他の技術的手段は、４本の中間束１３を四つだたみ編みして最終束４が形成されている点にある。
また、本発明の他の技術的手段は、最終束４の編み初め端側の中間束１３に、最終束４の編み終り端側の中間束１３を挿入して、最終束４がリング状に保形されている点にある。
【発明の効果】
【０００７】
本発明によれば、複数本の中間束を編み合わせて最終束が形成されているので、最終束は伸縮性に富むものとなり、これを犬等のペットが噛むと、その伸縮性により中間束間にた易く隙間が生じて、噛んだ歯がその隙間に嵌り込むことによって、歯垢を有効に除去することができ、また、歯茎に対して大きなマッサージ効果を得ることができる。しかも、ペット用玩具の最終束には、最終束の編み合わせによる大きな凹凸と中間束の撚り合わせ又は編み合わせによる中程度の凹凸と撚り糸の撚り合わせによる小さな凹凸との大中小の凹凸が段階的かつ連続的に表面に形成されるので、最終束の表面に硬くなった大中小の凹凸が多数並んだ状態になり、この点からも、犬等のペットが噛んで遊ぶことによって、歯垢を十分に除去することができると共に、歯茎に十分なマッサージ効果を得ることができる。
【図面の簡単な説明】
【０００８】
【図１】本発明の第１実施形態を示すペット用玩具の斜視図である。
【図２】本発明の第２実施形態を示すペット用玩具の斜視図である。
【発明を実施するための形態】
【０００９】
以下、本発明の実施の形態を図面に基づいて説明する。
図１は第１実施形態を示している。図１において、ペット用玩具１は、綿糸２を撚り合わせると共に編み合わせて構成したものであり、犬等のペットが噛むための棒状の最終束４と、最終束４が解れないように結束した結束部６と、結束部６から突出した解れ部８とを備えている。
【００１０】
このペット用玩具１は、多数本（複数本）の綿糸２を撚り合わせて撚り糸１１が形成さ
れ、３本（複数本）の撚り糸１１を撚り合わせて中間束１３が形成され、４本（複数本）の中間束１３を丸四つだたみ編みにより編み合わせて最終束４が形成されており、１本の最終束４と４本の中間束１３と１２本の撚り糸１１と多数の綿糸２とを段階的に有している。即ち、ペット用玩具１は１本の最終束４を有し、１本の最終束４は４本の中間束１３を有し、４本の中間束１３はそれぞれ３本の撚り糸１１を有し、１２本の撚り糸１１はそれぞれ多数本の綿糸２を有している。
【００１１】
最終束４は、最終束４の編み合わせによる大きな凹凸と中間束１３の撚り合わせによる中程度の凹凸と撚り糸１１の撚り合わせによる小さな凹凸との大中小の凹凸が段階的かつ連続的に表面に形成された立体形状に保形されている。最終束４の終端が本結びにより結束されて前記結束部６が形成され、この結束部６の外方に、４本の中間束１３が解れて１２本の撚り糸１１を互いに独立して有する前記解れ部８が形成されている。
【００１２】
上記実施形態によれば、複数本の中間束１３を丸四つだたみ編みにより編み合わせて最終束４が形成されているので、最終束４は非常に伸縮性に富むものとなり、これを犬等のペットが噛むと、その伸縮性により中間束１３間にた易く隙間が生じて、噛んだ歯がその隙間に嵌り込むことによって、歯垢を有効に除去することができ、また、歯茎に対して大きなマッサージ効果を得ることができる。しかも、ペット用玩具１の最終束４には、最終束４の編み合わせによる大きな凹凸と中間束１３の撚り合わせによる中程度の凹凸と撚り糸１１の撚り合わせによる小さな凹凸との大中小の凹凸が段階的かつ連続的に表面に形成され、大中小の凹凸が引き締まってごつごつと硬くなった状態で最終束４の表面に突出するので、最終束４の表面に硬くなった大中小の凹凸が多数並んだ状態になり、この点からも、犬等のペットが最終束４を噛んで遊ぶと、ペットの歯垢の除去を十分になし得ると共に、ペットの歯茎に十分なマッサージ効果を得ることができる。
【００１３】
図２は第２実施形態を示し、最終束４の編み初め端側の１本の中間束１３（中間束１３ａ）に、最終束４の編み終り端側の４本の中間束１３（中間束１３ｂ）を挿入して、最終束４がリング状に保形されている。また、最終束４の終端が本結びにより結束されて結束部（第１結束部）６が形成され、この結束部６の外方に４本の中間束１３を互いに独立して有する解れ部（第１解れ部）８が形成され、第１解れ部８の外端部が本結びにより結束されて第２結束部１５が形成され、この第２結束部１５の外方に、４本の中間束１３が解れた１２本の撚り糸１１を互いに独立して有する第２解れ部１７を有している。
【００１４】
その他の点は前記第１実施形態の場合と同様の構成であり、最終束４は非常に伸縮性に富むものとなり、しかも、ペット用玩具１の最終束４には、最終束４の編み合わせによる大きな凹凸と中間束１３の撚り合わせによる中程度の凹凸と撚り糸１１の撚り合わせによる小さな凹凸との大中小の凹凸が段階的かつ連続的に表面に形成された立体形状に保形されており、犬等のペットが最終束４を噛んで遊ぶと、ペットの歯垢の除去を十分になし得ると共に、ペットの歯茎に十分なマッサージ効果を得ることができる。
【００１５】
前記図２の第２実施形態の場合、結束部（第１結束部）６の外方又は第２結束部１５の外方に、４本の中間束１３を丸四つだたみ編みにより編み合わせてなる第２の最終束４を形成し、これを編み初め端側の中間束１３に編み終り端側の中間束１３を挿入してリング状に保形するようにしてもよい。
なお、前記実施形態では、４本の中間束１３を丸四つだたみ編みにより編み合わせて最終束４が形成されているが、これに代え、４本の中間束１３を角四つだたみ編みにより編み合わせて最終束４を形成するようにしてもよいし、また、複数本の中間束１３を三つ編み、ねじり編みその他の編み方により編み合わせて最終束４を形成するようにしてもよい。
【００１６】
また、複数本の撚り糸１１を撚り合わせに代えて三つ編み、ねじり編みその他の編み方により編み合わせて中間束１３を形成するようにしてもよい。
また、編み合わせによる最終束４の形成又は編み合わせによる中間束１３の形成は、芯入りの編み合わせによるものであってもよい。
さらに、撚り合わせ又は編み合わせにより複数段の中間束１３を形成するようにしてもよい。例えば、複数本の撚り糸１１を撚り合わせて第１中間束を形成し、さらに複数本の
第１中間束を編み合わせて第２中間束を形成し、この第２中間束を編み合わせて最終束４を形成するようにしてもよい。
【符号の説明】
【００１７】
１      ペット用玩具
２      綿糸
４      最終束
６      結束部
１１    撚り糸
１３    中間束
【図１】
0005431420.tif 000002
【図２】
0005431420.tif 000003